(57)【要約】【課題】コネクタの受け部への静電気の侵入を抑制できるコネクタ挿入口構造を提供する。【解決手段】コネクタ挿入口部１は、コネクタ差込部１５が外部側から内部側へ挿入される開口１１ｈが形成された基面１１と、基面１１より内部側に設けられ、開口１１ｈに挿入されたコネクタ差込部１５と接続されるコネクタ受け部１３と、コネクタ差込部１５の開口１１ｈへの挿入方向への移動に伴い、コネクタ差込部１５に当接して押され、開口１１ｈを塞ぐ閉位置から、開口１１ｈを開き、コネクタ差込部１５のコネクタ受け部１３への接続を許容する開位置へ移動可能に、且つ、コネクタ差込部１５の開口１１ｈからの引抜方向への移動に伴い、開位置から閉位置へ復帰可能に設けられ、グランドに接続された導電性の第１蓋体１７及び第２蓋体１８とを有する。【選択図】図２
2008210663.tif 000002
【特許請求の範囲】
【請求項１】
コネクタの差込部が外部側から内部側へ挿入される開口が形成された基面と、
前記基面より前記内部側に設けられ、前記開口に挿入された前記差込部と接続されるコネクタの受け部と、
前記開口を塞ぐ閉位置と、前記開口を開き、前記差込部の前記受け部への接続を許容する開位置との間を移動可能な蓋体であって、前記差込部の前記開口への挿入方向への移動に伴い、前記差込部に当接して押され、前記閉位置から前記開位置へ移動可能に、かつ前記差込部の前記開口からの引抜方向への移動に伴い、前記開位置から前記閉位置へ復帰可能に前記基面に連結され、グランドに接続されている導電性の蓋体と、
を有するコネクタ挿入口構造。
【請求項２】
前記蓋体の前記閉位置から前記開位置への移動に連動して、前記受け部を前記内部側へ一旦移動させてから前記外部側へ移動させるように、前記蓋体と前記受け部とを連結するリンク機構を有する
請求項１に記載のコネクタ挿入口構造。
【請求項３】
前記蓋体として、
前記基面に平行な所定方向に見て、前記開口の一方側において、前記所定方向に平行な第１回転軸回りに回転可能に前記基面に連結される第１連結部を有し、前記第１回転軸回りの前記内部側への回転により前記閉位置から前記開位置へ移動する第１蓋体と、
前記基面に平行な所定方向に見て、前記開口の他方側において、前記所定方向に平行な第２回転軸回りに回転可能に前記基面に連結される第２連結部を有し、前記第２回転軸回りの前記内部側への回転により前記閉位置から前記開位置へ移動する第２蓋体と、
を有し、
前記リンク機構は、
前記第１蓋体の自由端に前記所定方向に平行な第３回転軸回りに回転可能に連結された第３連結部と、前記受け部に前記所定方向に平行な第４回転軸回りに回転可能に連結された第４連結部とを有する第１リンク部材と、
前記第２蓋体の自由端に前記所定方向に平行な第５回転軸回りに回転可能に連結された第５連結部と、前記受け部に前記所定方向に平行な第６回転軸回りに回転可能に連結された第６連結部とを有する第２リンク部材と、
を有するとともに、
前記第１蓋体及び前記第２蓋体が前記閉位置から前記開位置へ移動するまでの間に、前記所定方向に見て、前記第１蓋体及び前記第１リンク部材が、屈曲状態から一旦直線状になり反対側へ屈曲するとともに、前記第２蓋体及び前記第２リンク部材が、屈曲状態から一旦直線状になり反対側へ屈曲するように構成されている
請求項２に記載のコネクタ挿入口構造。
【請求項４】
前記蓋体は、前記基面に平行な回転軸回りに回転可能に前記基面に連結され、前記回転軸回りの前記外部側から前記内部側への移動により前記閉位置から前記開位置へ移動するように設けられている
請求項１に記載のコネクタ挿入口構造。
【請求項５】
前記蓋体は、一端が前記外部側から前記内部側への方向に交差する方向へ移動し、他端が前記内部側から前記外部側へ移動し、前記閉位置から前記開位置へ移動するように構成され、
前記受け部は、前記開口との距離が、前記蓋体の前記一端から前記他端への長さよりも小さい
請求項１に記載のコネクタ挿入口構造。
【請求項６】
前記蓋体の一端を、前記基面に平行な方向に対して前記外部側から前記内部側へ傾斜した方向へ案内する第１ガイド部と、
前記蓋体の他端を、前記内部側から前記外部側へ案内する第２ガイド部と、
を有する請求項１に記載のコネクタ挿入口構造。
【請求項７】
前記蓋体は、可撓性を有し、前記開口を塞ぐように垂下されている
請求項１に記載のコネクタ挿入口構造。
【請求項８】
コネクタの差込部が外部側から内部側へ挿入される開口が形成された基面を有する筐体と、
前記筐体の内部に設けられ、前記開口に挿入された前記差込部と接続されるコネクタの受け部と、
前記開口を塞ぐ閉位置と、前記開口を開き、前記差込部の前記受け部への接続を許容する開位置との間を移動可能な蓋体であって、前記差込部の前記開口への挿入方向への移動に伴い、前記差込部に当接して押され、前記閉位置から前記開位置へ移動可能に、かつ前記差込部の前記開口からの引抜方向への移動に伴い、前記開位置から前記閉位置へ復帰可能に前記基面に連結され、グランドに接続されている導電性の蓋体と、
を有するコネクタ挿入口構造を備えた携帯端末。
【発明の詳細な説明】
【技術分野】
【０００１】
本発明は、電子回路同士を電気的に接続するためのコネクタの差込部が挿入されるコネクタ挿入口構造及びこれを備えた携帯端末に関する。
【背景技術】
【０００２】
電子機器や家屋の壁面に設けられたコネクタ挿入口に、ケーブルに設けられたコネクタの差込部を挿入することにより、電子機器同士を接続したり、電子機器を電力供給源に接続する技術が知られている。このような技術において、ケーブルが静電気を帯びていると、コネクタの差込部をコネクタ挿入口に挿入したときに、ケーブルに帯電していた静電気がコネクタ挿入口から電子機器等に流れ込み、電子機器等を破壊してしまうおそれがあることも知られている。
【０００３】
特許文献１では、コネクタの差込部が挿入されていないときには、コネクタの受け部の端子とグランドとを接続し、コネクタの差込部が挿入されたときには、コネクタの差込部により変位させられて、コネクタの受け部の端子とグランドとの接続を切断する可動切片を、コネクタの受け部に設ける技術が開示されている。
【特許文献１】特開２００４−２６７４８８号公報
【発明の開示】
【発明が解決しようとする課題】
【０００４】
しかし、引用文献１の技術は、コネクタの受け部への静電気の侵入自体を防止する技術ではなく、コネクタの受け部へ静電気が侵入した場合に、その静電気により機器が破壊されないようにするための技術である。このため、例えば、コネクタの受け部の構造を特殊なものとしなければならず、既存のコネクタの受け部を用いることができない等の不具合がある。
【０００５】
本発明の目的は、コネクタの受け部への静電気の侵入を抑制できるコネクタ挿入口構造及びこれを備えた携帯端末を提供することにある。
【課題を解決するための手段】
【０００６】
本発明のコネクタ挿入口構造は、コネクタの差込部が外部側から内部側へ挿入される開口が形成された基面と、前記基面より前記内部側に設けられ、前記開口に挿入された前記差込部と接続されるコネクタの受け部と、前記開口を塞ぐ閉位置と、前記開口を開き、前記差込部の前記受け部への接続を許容する開位置との間を移動可能な蓋体であって、前記差込部の前記開口への挿入方向への移動に伴い、前記差込部に当接して押され、前記閉位置から前記開位置へ移動可能に、かつ前記差込部の前記開口からの引抜方向への移動に伴い、前記開位置から前記閉位置へ復帰可能に前記基面に連結され、グランドに接続されている導電性の蓋体と、を有する。
【０００７】
好適には、前記蓋体の前記閉位置から前記開位置への移動に連動して、前記受け部を前記内部側へ一旦移動させてから前記外部側へ移動させるように、前記蓋体と前記受け部とを連結するリンク機構を有する。
【０００８】
好適には、前記蓋体として、前記基面に平行な所定方向に見て、前記開口の一方側において、前記所定方向に平行な第１回転軸回りに回転可能に前記基面に連結される第１連結部を有し、前記第１回転軸回りの前記内部側への回転により前記閉位置から前記開位置へ移動する第１蓋体と、前記基面に平行な所定方向に見て、前記開口の他方側において、前記所定方向に平行な第２回転軸回りに回転可能に前記基面に連結される第２連結部を有し、前記第２回転軸回りの前記内部側への回転により前記閉位置から前記開位置へ移動する第２蓋体と、を有し、前記リンク機構は、前記第１蓋体の自由端に前記所定方向に平行な第３回転軸回りに回転可能に連結された第３連結部と、前記受け部に前記所定方向に平行な第４回転軸回りに回転可能に連結された第４連結部とを有する第１リンク部材と、前記第２蓋体の自由端に前記所定方向に平行な第５回転軸回りに回転可能に連結された第５連結部と、前記受け部に前記所定方向に平行な第６回転軸回りに回転可能に連結された第６連結部とを有する第２リンク部材と、を有するとともに、前記第１蓋体及び前記第２蓋体が前記閉位置から前記開位置へ移動するまでの間に、前記所定方向に見て、前記第１蓋体及び前記第１リンク部材が、屈曲状態から一旦直線状になり反対側へ屈曲するとともに、前記第２蓋体及び前記第２リンク部材が、屈曲状態から一旦直線状になり反対側へ屈曲するように構成されている。
【０００９】
好適には、前記蓋体は、前記基面に平行な回転軸回りに回転可能に前記基面に連結され、前記回転軸回りの前記外部側から前記内部側への移動により前記閉位置から前記開位置へ移動するように設けられている。
【００１０】
好適には、前記蓋体は、一端が前記外部側から前記内部側への方向に交差する方向へ移動し、他端が前記内部側から前記外部側へ移動し、前記閉位置から前記開位置へ移動するように構成され、前記受け部は、前記開口との距離が、前記蓋体の前記一端から前記他端への長さよりも小さい。
【００１１】
好適には、前記蓋体の一端を、前記基面に平行な方向に対して前記外部側から前記内部側へ傾斜した方向へ案内する第１ガイド部と、前記蓋体の他端を、前記内部側から前記外部側へ案内する第２ガイド部と、を有する。
【００１２】
好適には、前記蓋体は、可撓性を有し、前記開口を塞ぐように垂下されている。
【００１３】
本発明のコネクタ挿入口構造を備えた携帯端末は、コネクタの差込部が外部側から内部側へ挿入される開口が形成された基面を有する筐体と、前記筐体の内部に設けられ、前記開口に挿入された前記差込部と接続されるコネクタの受け部と、前記開口を塞ぐ閉位置と、前記開口を開き、前記差込部の前記受け部への接続を許容する開位置との間を移動可能な蓋体であって、前記差込部の前記開口への挿入方向への移動に伴い、前記差込部に当接して押され、前記閉位置から前記開位置へ移動可能に、かつ前記差込部の前記開口からの引抜方向への移動に伴い、前記開位置から前記閉位置へ復帰可能に前記基面に連結され、グランドに接続されている導電性の蓋体と、を有する。
【発明の効果】
【００１４】
本発明よれば、コネクタの受け部への静電気の侵入を抑制できる。
【発明を実施するための最良の形態】
【００１５】
図１は、本発明の第１の実施形態のコネクタ挿入口構造を適用したコネクタ挿入口部１の概略を説明するための概念的な斜視図である。
【００１６】
コネクタ挿入口部１は、電子機器３に設けられている。コネクタ挿入口部１には、ケーブル５が接続可能である。電子機器３は、ケーブル５を介した、電気信号の入力、出力、給電、受電の少なくともいずれか一つを行うものであれば、あらゆる電子機器であってよいが、例えば、携帯電話機、ＰＤＡ、ノートパソコン、デジタルカメラ、携帯型ゲーム機等の携帯端末である。電子機器３は、ケーブル５を介して、例えば、他の電子機器、ネットワーク、電力供給源等に接続される。
【００１７】
電子機器３は、筐体７と、筐体７内に設けられた電子回路９とを有している。コネクタ挿入口部１は、筐体７の一部により構成された基面１１と、電子回路９に接続されたコネクタ受け部１３とを有している。基面１１には、ケーブル５に設けられたコネクタ差込部１５が挿入される開口１１ｈが形成されている。コネクタ受け部１３は、開口１１ｈに対して筐体７の内部側に設けられている。コネクタ差込部１５が筐体７の外部側から内部側へ開口１１ｈに差し込まれると、コネクタ差込部１５とコネクタ受け部１３とは接続される。
【００１８】
図２は、コネクタ挿入口部１を、基面１１を省略して示す斜視図である。なお、図２のいずれの方向が重力の方向になってもよい。
【００１９】
コネクタ挿入口部１は、上述した構成に加え、開口１１ｈを開閉可能な第１蓋体１７及び第２蓋体１８と、第１蓋体１７及び第２蓋体１８とコネクタ受け部１３とを連結するリンク機構１９と、コネクタ受け部１３をコネクタ差込部１５の入出方向に案内するガイド２１とを有している。
【００２０】
第１蓋体１７及び第２蓋体１８は、いわゆる両開きの蓋を構成している。具体的には、第１蓋体１７は、図２の上下方向（基面に平行な所定方向の一例）に見て、開口１１ｈの一方側（図２の左側）において、図２の上下方向に平行な第１回転軸Ｒ１回りに回転可能に基面１１に連結される第１連結部１７ａを有している。同様に、第２蓋体１８は、図２の上下方向に見て、開口１１ｈの他方側（図２の右側）において、図２の上下方向に平行な第２回転軸Ｒ２回りに回転可能に基面１１に連結される第２連結部１８ａを有している。そして、第１蓋体１７は開口１１ｈの一方側を、第２蓋体１８は開口１１ｈの他方側をそれぞれ開閉可能であり、第１蓋体１７及び第２蓋体１８により、開口１１ｈ全体が開閉される。
【００２１】
なお、第１連結部１７ａは、例えば、第１蓋体１７の一端に設けられている。第２連結部１８ａは、例えば、第２蓋体１８の一端に設けられている。第１蓋体１７及び第２蓋体１８の自由端１７ｂ及び１８ｂは、例えば、開口１１ｈを閉じる閉位置にて、互いに隣接するように設定されている。
【００２２】
また、第１蓋体１７及び第２蓋体１８は、いわゆる内開きの蓋を構成している。すなわち、第１蓋体１７及び第２蓋体１８は、筐体７の内部側への移動（回転）により、開口１１ｈを開く方向へ移動する。
【００２３】
第１蓋体１７及び第２蓋体１８は、例えば、矩形の平板状に形成されている。第１蓋体１７及び第２蓋体１８は、少なくとも筐体７の外部側の表面に導電性を有している。例えば、第１蓋体１７及び第２蓋体１８は、板金により構成され、その全体に導電性を有している。また、例えば、第１蓋体１７及び第２蓋体１８は、樹脂に導電性塗料が塗布されて、表面に導電層が形成されている。
【００２４】
第１蓋体１７及び第２蓋体１８は、グランドに接続されている。グランドは、例えば、電子回路９の基準電位である。第１蓋体１７及び第２蓋体１８は、例えば、これらを基面１１に対して軸支するための軸部材２３、２４が導線等を介して電子回路９の基準電位に接続されることにより、グランドに接続されている。
【００２５】
リンク機構１９は、第１蓋体１７とコネクタ受け部１３とを連結する第１リンク部材２５と、第２蓋体１８とコネクタ受け部１３とを連結する第２リンク部材２６とを有している。
【００２６】
第１リンク部材２５は、第１蓋体１７の自由端１７ｂに図２の上下方向に平行な第３回転軸Ｒ３回りに回転可能に連結された第３連結部２５ａと、コネクタ受け部１３に図２の上下方向に平行な第４回転軸Ｒ４回りに回転可能に連結された第４連結部２５ｂとを有している。
【００２７】
同様に、第２リンク部材２６は、第２蓋体１８の自由端１８ｂに図２の上下方向に平行な第５回転軸Ｒ５回りに回転可能に連結された第５連結部２６ａと、コネクタ受け部１３に図２の上下方向に平行な第６回転軸Ｒ６回りに回転可能に連結された第６連結部２６ｂとを有している。
【００２８】
第１リンク部材２５及び第２リンク部材２６は、コネクタ差込部１５の挿入を妨げないように、第１蓋体１７及び第２蓋体１８の図２の上下方向の端部に連結されるとともに、コネクタ差込部１５の挿入方向に略平行に延び、コネクタ受け部１３に連結されている。
【００２９】
コネクタ受け部１３は、例えば、非導電性の樹脂により形成された基部２７と、基部２７に形成された凹部に配置された複数の端子２８とを有している。一方、特に図示しないが、コネクタ差込部１５は、非導電性の樹脂により形成された基部と、基部の外周に形成された複数の端子とを有している。コネクタ差込部１５がコネクタ受け部１３の凹部に挿入されると、コネクタ受け部１３の端子２８とコネクタ差込部１５の端子とが当接し、電子機器３とケーブル５とは電気的に接続される。
【００３０】
ガイド２１は、筐体７に対して固定的に設けられている。ガイド２１は、例えば、コネクタ受け部１３の基部２７が嵌合する孔部２１ａを有している。従って、ガイド２１は、コネクタ受け部１３の、コネクタ差込部１５の入出方向への移動を許容するとともに、挿入方向に直交する方向の移動を規制する。
【００３１】
コネクタ受け部１３と、電子回路９とは、例えばケーブル２９により接続されている。ケーブル２９は、可撓性を有している。従って、ケーブル２９は、コネクタ受け部１３と電子回路９とを電気的に接続しつつ、コネクタ受け部１３の移動を許容する。
【００３２】
図３は、図２の領域ＩＩＩにおける拡大図である。
【００３３】
コネクタ挿入口部１は、第２蓋体１８と第２リンク部材２６とを、第５回転軸Ｒ５回りに、矢印ｙ１及びｙ２で示す方向（閉位置において第２蓋体１８と第２リンク部材２６とをより屈曲させる方向）に付勢する第２捩りバネ３２を有している。第２捩りバネ３２は、巻き締め力により第２蓋体１８と第２リンク部材２６とを付勢している。なお、第２捩りバネ３２は、巻き戻し力により第２蓋体１８と第２リンク部材２６とを矢印ｙ１及びｙ２で示す方向に付勢する捩りバネにより構成されてもよい。
【００３４】
また、同様に、コネクタ挿入口部１は、第１蓋体１７と第１リンク部材２５とを、第３回転軸Ｒ３回りに、閉位置において第１蓋体１７と第１リンク部材２５とをより屈曲させる方向に付勢する第１捩りバネ３１（図４（ｂ）参照）を有している。第１捩りバネ３１が巻き戻し力により付勢するものであっても、巻き締め力により付勢するものであってもよいことも、第２捩りバネ３２と同様である。
【００３５】
図４は、コネクタ挿入口部１の動作を説明する図である。なお、図４は、図２の上方側から見た平面図である。また、図解を容易にするために、第１捩りバネ３１及び第２捩りバネ３２は、図４（ｂ）のみにおいて図示する。
【００３６】
図４（ａ）では、第１蓋体１７及び第２蓋体１８は閉位置にあり、開口１１ｈは閉じられている。このとき、第１蓋体１７及び第１リンク部材２５は屈曲状態である。同様に、第２蓋体１８及び第２リンク部材２６は屈曲状態である。コネクタ受け部１３は、初期位置Ｐ０に位置している。
【００３７】
この状態において、コネクタ差込部１５の開口１１ｈへの挿入が開始されると、まず、コネクタ差込部１５は第１蓋体１７及び第２蓋体１８に当接する。この際、ケーブル５が帯電していれば、帯電していた静電気は、第１蓋体１７及び第２蓋体１８を介してグランドへ流れる。
【００３８】
更にコネクタ差込部１５が挿入されると、図４（ｂ）に示すように、第１蓋体１７及び第２蓋体１８はコネクタ差込部１５に押され、第１回転軸Ｒ１及び第２回転軸Ｒ２回りに外部側から内部側へ回転する。この際、第１蓋体１７及び第１リンク部材２５は屈曲状態から直線状態に遷移する。同様に、第２蓋体１８及び第２リンク部材２６は屈曲状態から直線状態に遷移する。コネクタ受け部１３は、初期位置Ｐ０から内部側へ移動する。
【００３９】
図４（ｂ）の状態から、更にコネクタ差込部１５が挿入されると、図４（ｃ）に示すように、第１蓋体１７及び第２蓋体１８はコネクタ差込部１５により更に押し開かれる。この際、第１蓋体１７及び第１リンク部材２５は直線状態から屈曲状態に遷移する。同様に、第２蓋体１８及び第２リンク部材２６は直線状態から屈曲状態に遷移する。コネクタ受け部１３は、図４（ｂ）の位置から外部側へ移動する。
【００４０】
そして、第１蓋体１７及び第２蓋体１８が図４（ｃ）に示す開位置に到達し、コネクタ受け部１３が初期位置Ｐ０へ復帰すると、コネクタ差込部１５はコネクタ受け部１３と接続される。
【００４１】
コネクタ差込部１５が開口１１ｈから抜かれると、コネクタ挿入口部１は、第１捩りバネ３１及び第２捩りバネ３２の付勢力により、上述した図４（ａ）から図４（ｃ）への動作とは逆の動作で図４（ａ）の状態に復帰する。
【００４２】
以上の第１の実施形態によれば、コネクタ差込部１５を開口１１ｈに挿入するときには、コネクタ差込部１５が、コネクタ受け部１３に当接する前に、第１蓋体１７及び第２蓋体１８に当接するから、コネクタ受け部１３への静電気の飛込みが抑制される。
【００４３】
リンク機構１９により、コネクタ受け部１３は、第１蓋体１７及び第２蓋体１８の閉位置から開位置への移動に連動して、一旦内部側へ移動してから外部側へ移動するから、コネクタ差込部１５とコネクタ受け部１３との接続位置を外部側の位置としつつも、コネクタ差込部１５の差込が行われている中途におけるコネクタ差込部１５とコネクタ受け部１３との距離を長く保ち、コネクタ差込部１５に帯電している静電気が第１蓋体１７及び第２蓋体１８に流れる時間的余裕を稼ぐことができる。
【００４４】
また、コネクタ受け部１３が所定の位置に固定されている場合には、コネクタ受け部１３を第１蓋体１７及び第２蓋体１８の回転範囲の外に配置しなければならないが、コネクタ受け部１３が一旦内部へ移動してから外部へ移動することから、コネクタ差込部１５との接続時にコネクタ受け部１３を第１蓋体１７及び第２蓋体１８の回転範囲に重複させることができる。すなわち、接続時のコネクタ受け部１３の位置を、より外部側へ近づけることができる。
【００４５】
図５は、本発明の第２の実施形態のコネクタ挿入口構造を適用したコネクタ挿入口部１０１を示す平面図である。
【００４６】
コネクタ挿入口部１０１は、第１の実施形態のコネクタ挿入口部１と同様に、両開き、且つ、内開きの第１蓋体１７及び第２蓋体１８を備えている。
【００４７】
ただし、第１の実施形態のリンク機構１９は省略されている。コネクタ受け部１３は、第１蓋体１７及び第２蓋体１８の回転範囲外において、基面１１に対して固定されている。コネクタ挿入口部１０１は、第１の実施形態の第１捩りバネ３１、第２捩りバネ３２に代えて、第１回転軸Ｒ１、第２回転軸Ｒ２回りの付勢力を発揮する第１捩りバネ１３１、第２捩りバネ１３２を有している（図５（ａ）のみ図示）。第１蓋体１７及び第２蓋体１８は、第１捩りバネ１３１及び第２捩りバネ１３２により開位置から閉位置へ付勢されている。なお、第１捩りバネ１３１、第２捩りバネ１３２は、巻き締め力により付勢力を生じても、巻き戻し力により付勢力を生じてもよいが、図５では、巻き戻し力により付勢力を発揮している場合を例示している。
【００４８】
第２の実施形態では、コネクタ差込部１５が開口１１ｈに挿入されると、第１蓋体１７及び第２蓋体１８が、図５（ａ）に示す閉位置から図５（ｂ）に示す開位置へ移動し、コネクタ差込部１５とコネクタ受け部１３との接続が許容される。コネクタ差込部１５が抜かれると、第１捩りバネ１３１、第２捩りバネ１３２の付勢力により第１蓋体１７及び第２蓋体１８は開位置から閉位置へ復帰する。
【００４９】
以上の第２の実施形態によれば、第１の実施形態と同様に、コネクタ差込部１５を開口１１ｈに挿入するときには、コネクタ差込部１５が、コネクタ受け部１３に当接する前に、第１蓋体１７及び第２蓋体１８に当接するから、コネクタ受け部１３への静電気の飛込みが抑制される。更に、構成が非常に簡素である。
【００５０】
図６は、本発明の第３の実施形態のコネクタ挿入口構造を適用したコネクタ挿入口部２０１を示す平面図である。
【００５１】
コネクタ挿入口部２０１は、第２の実施形態のコネクタ挿入口部１０１と同様に、コネクタ受け部１３が固定位置に配置され、開口１１ｈは、内開きの蓋体により開閉される。
【００５２】
ただし、コネクタ挿入口部２０１は、開口１１ｈが片開きの蓋体２１７により開閉される。蓋体２１７は、第２の実施形態の第１捩りバネ１３１と同様の捩りバネ２３１により、回転軸Ｒ２０１回りに、開位置から閉位置へ付勢されている。
【００５３】
第３の実施形態では、コネクタ差込部１５が開口１１ｈに挿入されると、蓋体２１７及が、図６（ａ）に示す閉位置から図６（ｂ）に示す開位置へ移動し、コネクタ差込部１５とコネクタ受け部１３との接続が許容される。コネクタ差込部１５が抜かれると、捩りバネ２３１の付勢力により蓋体２１７は開位置から閉位置へ復帰する。
【００５４】
以上の第３の実施形態によれば、第１及び第２の実施形態と同様に、コネクタ差込部１５を開口１１ｈに挿入するときには、コネクタ差込部１５が、コネクタ受け部１３に当接する前に、蓋体２１７に当接するから、コネクタ受け部１３への静電気の飛込みが抑制される。更に、構成が非常に簡素である。
【００５５】
図７は、本発明の第４の実施形態のコネクタ挿入口構造を適用したコネクタ挿入口部３０１を示す斜視図である。
【００５６】
コネクタ挿入口部３０１は、第１の実施形態のコネクタ挿入口部１と同様に、両開きの第１蓋体３１７及び第２蓋体３１８を備えている。ただし、第１蓋体３１７及び第２蓋体３１８は、いわゆる外開きになるように構成されている。具体的には以下のとおりである。
【００５７】
コネクタ挿入口部３０１は、第１蓋体３１７の開口１１ｈ内部側（第２蓋体３１８側）の端部に設けられた被ガイド部としての第１突部３１７ａを案内するガイド部としての第１レール３２１を有している。第１レール３２１は、概ね、第１突部３１７ａを内部側から外部側への方向に交差する方向に案内する。具体的には、第１レール３２１は、例えば、弧状に形成されている。第１レール３２１は、第１蓋体３１７が閉位置にあるときは、基面１１に平行な方向に対して外部側から内部側へ傾斜した方向に沿って、開口１１ｈ外部側（第２蓋体３１８側とは反対側）に、第１突部３１７ａを案内可能に構成されている。さらに、第１レール３２１は、基面１１に平行な方向、及び、基面１１に平行な方向に対して内部側から外部側へ傾斜した方向に沿って、開口１１ｈ外部側に、第１突部３１７ａを案内可能に構成されている。
【００５８】
同様に、コネクタ挿入口部３０１は、第２蓋体３１８の開口１１ｈ内部側（第１蓋体３１７側）の端部に設けられた被ガイド部としての第２突部３１８ａを案内するガイド部としての第２レール３２２を有している。第２レール３２２は、第１レール３２１と同様の構成を有している。すなわち、第１レール３２１は、概ね、第２突部３１８ａを内部側から外部側への方向に交差する方向に案内する。具体的には、第２レール３２２は、例えば、弧状に形成されている。第２レール３２２は、第２蓋体３１８が閉位置にあるときは、基面１１に平行な方向に対して外部側から内部側へ傾斜した方向に沿って、開口１１ｈ外部側（第１蓋体３１７側とは反対側）に、第２突部３１８ａを案内可能に構成されている。さらに、第２レール３２２は、基面１１に平行な方向、及び、基面１１に平行な方向に対して内部側から外部側へ傾斜した方向に沿って、開口１１ｈ外部側に、第２突部３１８ａを案内可能に構成されている。
【００５９】
コネクタ挿入口部３０１は、第１蓋体３１７の開口１１ｈ中央側（第１突部３１７ａが設けられる側とは反対側）の端部に設けられた被ガイド部としての第３突部３１７ｂを案内するガイド部としての第３レール３２３を有している。第３レール３２３は、内部側から外部側への方向に第３突部３１７ｂを案内可能に構成されている。
【００６０】
同様に、コネクタ挿入口部３０１は、第２蓋体３１８の開口１１ｈ周縁側（第２突部３１８ａが設けられる側とは反対側）の端部に設けられた被ガイド部としての第４突部３１８ｂを案内するガイド部としての第４レール３２４を有している。第４レール３２４は、内部側から外部側への方向に第４突部３１８ｂを案内可能に構成されている。
【００６１】
コネクタ挿入口部３０１は、第１突部３１７ａ及び第２突部３１８ａを近接させる方向に引張力を発揮するつる巻きバネ３２５を有している。
【００６２】
コネクタ挿入口部３０１では、コネクタ受け部１３は、固定位置に配置されている。コネクタ受け部１３は、開口１１ｈに隣接して設けられている。例えば、コネクタ受け部１３の外部側の端面は、基面１１の内側面に当接している。若しくは、コネクタ受け部１３の外部側の端面は、基面１１の内側面よりも外部側に位置している。
【００６３】
第１蓋体３１７及び第２蓋体３１８はグランドに接続されている。例えば、第１蓋体３１７及び第２蓋体３１８は、第１レール３２１及び第２レール３２２が導線等を介して電子回路９の基準電位に接続されることにより、第１レール３２１及び第２レール３２２を介してグランドに接続されている。
【００６４】
図８は、コネクタ挿入口部３０１の動作を説明する図である。
【００６５】
図８（ａ）では、第１蓋体３１７及び第２蓋体３１８は閉位置にあり、開口１１ｈは閉じられている。このとき、第１蓋体３１７の第１突部３１７ａは、第１レール３２１の開口１１ｈ中央側の端部に位置し、第２蓋体３１８の第２突部３１８ａは、第２レール３２２の開口１１ｈ中央側の端部に位置し、第１蓋体３１７の第３突部３１７ｂは、第３レール３２３の内部側の端部に位置し、第２蓋体３１８の第４突部３１８ｂは、第４レール３２４の内部側の端部に位置している。
【００６６】
この状態において、コネクタ差込部１５の開口１１ｈへの挿入が開始されると、まず、コネクタ差込部１５は第１蓋体３１７及び第２蓋体３１８に当接する。この際、ケーブル５が帯電していれば、帯電していた静電気は、第１蓋体３１７及び第２蓋体３１８を介してグランドへ流れる。
【００６７】
更にコネクタ差込部１５が挿入されると、図８（ｂ）〜図８（ｅ）に順に示すように、第１蓋体３１７及び第２蓋体３１８はコネクタ差込部１５に押され、第１レール３２１、第２レール３２２、第３レール３２３、第４レール３２４に案内されて移動する。このとき、第１蓋体３１７及び第２蓋体３１８は、一端（開口１１ｈの外縁側の端部）が、他端（開口１１ｈの中央側の端部）よりも、内部側から外部側へ移動するようにして移動する。そして、図８（ｅ）に示すように、第１蓋体３１７及び第２蓋体３１８が開位置に移動すると、コネクタ差込部１５とコネクタ受け部１３とが接続される。
【００６８】
コネクタ差込部１５が開口１１ｈから抜かれると、第１蓋体３１７及び第２蓋体３１８は、バネ３２５の付勢力により、閉位置に復帰する。
【００６９】
以上の実施形態によれば、第１〜第３の実施形態と同様に、コネクタ差込部１５を開口１１ｈに挿入するときには、コネクタ差込部１５が、コネクタ受け部１３に当接する前に、第１蓋体３１７及び第２蓋体３１８に当接するから、コネクタ受け部１３への静電気の飛込みが抑制される。
【００７０】
更に、第１蓋体３１７及び第２蓋体３１８は、端部が内部側から外部側へ移動して、閉位置から開位置へ移動するから、すなわち、いわゆる外開きの蓋体であるから、第１〜第３の実施形態のような内開きの場合に比較して、コネクタ受け部１３を外部側へ配置することができる。
【００７１】
なお、コネクタ受け部１３は、開口１１ｈとの距離が、第１蓋体３１７又は第２蓋体３１８の一端から他端への長さよりも小さければ、第２及び第３の実施形態のような内開きの蓋体により開口１１ｈを塞ぐ場合に比較して、有利な効果を奏していることになる。
【００７２】
また、第４の実施形態のように、蓋体の一端を、外部側から内部側への方向へ交差する方向に案内する第１ガイド部（３２１）と、蓋体の他端を、内部側から外部側へ案内する第２ガイド部（３２３）とにより外開きを実現する場合、差込部の押し込み力を利用するためには、第４の実施形態のように、第１ガイド部は、少なくとも閉位置において、基面に平行な方向に対して外部側から内部側へ傾斜していればよい。従って、第１ガイド部全体が、基面に平行な方向に対して外部側から内部側へ傾斜していてもよい。ただし、第４の実施形態のように、第１ガイド部を弧状とし、平行な方向等にも案内可能とすれば、コネクタ受け部をより外部側へ配置できる。
【００７３】
図９は、本発明の第５の実施形態のコネクタ挿入口構造を適用したコネクタ挿入口部４０１を示す斜視図である。
【００７４】
コネクタ挿入口部４０１は、第３の実施形態（図６）と同様に、内開き、且つ、片開きの蓋体４１７を有している。しかし、第１〜第４の実施形態の蓋体が剛体であったのに対し、蓋体４１７は可撓性を有している。
【００７５】
蓋体４１７は、例えば、導電性を有する布により形成されている。若しくは、簾のように、棒状の導電性部材が、軸に直交する方向に配列されるとともに、導電性を有する紐により互いに連結されることにより形成されている。そして、蓋体４１７は、上端が基面１１に対して固定され、開口１１ｈを塞ぐように垂下されている。蓋体４１７は、例えば、基面１１への固定位置等においてグランドに接続されている。
【００７６】
図９（ａ）では、蓋体４１７は閉位置にあり、開口１１ｈは閉じられている。この状態からコネクタ差込部１５の開口１１ｈへの挿入が開始されると、まず、コネクタ差込部１５は、蓋体４１７に当接する。この際、ケーブル５が帯電していれば、静電気は蓋体４１７を介してグランドに流れる。
【００７７】
さらに、コネクタ差込部１５を挿入すると、図９（ｂ）に示すように、蓋体４１７は変形しながらコネクタ差込部１５の挿入を許容する。そして、図９（ｃ）に示すように、蓋体４１７が開位置に到達すると、コネクタ差込部１５はコネクタ受け部１３に接続される。
【００７８】
コネクタ差込部１５が抜かれると、蓋体４１７は、重力により、閉位置へ復帰する。
【００７９】
以上の実施形態によれば、第１〜第４の実施形態と同様に、コネクタ差込部１５を開口１１ｈに挿入するときには、コネクタ差込部１５が、コネクタ受け部１３に当接する前に、蓋体４１７に当接するから、コネクタ受け部１３への静電気の飛込みが抑制される。しかも、構成が簡素である。
【００８０】
本発明は、以上の実施形態に限定されず、種々の態様で実施されてよい。
【００８１】
コネクタ挿入口構造は、電気信号の入力、電気信号の出力、給電、受電のいずれを目的としたものであってもよい。また、筐体を有する電子機器に設けられるものに限定されず、壁面等の家屋の一部に形成されるものであってもよい。
【００８２】
コネクタ差込部及びコネクタ受け部は、いずれが、いわゆる雄型又は雌型であってもよい。また、実施形態では、絶縁性の基部に端子が設けられている場合を例示したが、端子のみによりコネクタ差込部及び／又はコネクタ受け部が構成されていてもよい。
【００８３】
コネクタ受け部が基面に形成された開口に対して移動可能である場合、コネクタ受け部の移動を規制及び許容する機構は適宜に構成されてよい。例えば、コネクタ受け部に形成された突部がスリットに案内されてもよい。また、コネクタ受け部の移動は、コネクタ差込部の挿入方向に沿う移動のみに限定されない。例えば、コネクタ受け部は、所定の回転軸回りに回転する蓋体の自由端に連結され、前記の回転軸回りに移動してもよい。
【００８４】
実施形態では、両開き且つ内開き（第１及び第２の実施形態）、片開き且つ内開き（第３及び第５の実施形態）、両開き且つ外開き（第４の実施形態）を例示したが、片開き且つ外開きとしてもよいし、２以上の蓋体を設けてもよい。なお、上述のように、内開きであれば、蓋体を基面に平行な回転軸回りに回転可能に基面に連結したり、可撓性の蓋体を垂下するだけでよいから構成が簡素である。また、外開きであれば、コネクタの受け部をより外部側へ配置できることから、電子機器等の小型化に有利である。
【００８５】
実施形態では、コネクタ受け部が、蓋体の閉位置から開位置への移動に連動して、一旦、内部側へ移動してから外部側へ移動する構成を、両開き且つ内開き（第１の実施形態）の蓋体においてのみ示したが、片開きや外開きの蓋体に、このような構成が適用されてもよい。また、リンク機構の構成も適宜に構成されてよい。
【００８６】
コネクタ差込部が抜かれたときに、蓋体を開位置から閉位置へ復帰させる力は、適宜に得てよい。例えば、第３の実施形態（図６）においては、バネにより蓋体を閉位置へ復帰させる力を得たが、第５の実施形態（図９）と同様に、重力により復帰するようにしてもよい。コネクタ差込部を引き抜く力を利用してもよい。
【００８７】
バネにより閉位置へ復帰させる場合には、適宜な位置に適宜な種類のバネを配置することができる。例えば、第４の実施形態（図７）では、引っ張り力を発揮するつる巻きバネ３２５を用いる場合を例示したが、第１レール３２１や第２レール３２２内に、第１突部３１７ａや第２突部３１８ａを開口中央側に押圧するバネを設けたり、第３レール３２３や第４レール３２４内に、第１突部３１７ｂや第２突部３１８ｂを内部側へ押圧するバネを設けてもよい。
【００８８】
蓋体は、適宜な方法でグランドに接続されてよい。すなわち、蓋体の適宜な位置において、適宜な部材を介して接続されてよい。
【００８９】
蓋体の移動範囲は、適宜な方法により規制されてよい。例えば、蓋体が、閉位置から開位置への方向へ、開位置を越えて移動したり、開位置から閉位置への方向へ、開位置を越えて移動することを防止するためのストッパが設けられていてもよい。
【図面の簡単な説明】
【００９０】
【図１】本発明の第１の実施形態のコネクタ挿入口構造の概略を示す斜視図。
【図２】図１のコネクタ挿入口構造の一部を示す斜視図。
【図３】図２の領域ＩＩＩにおける拡大図。
【図４】図１のコネクタ挿入口構造の動作を説明する図。
【図５】本発明の第２の実施形態のコネクタ挿入口構造を説明する平面図。
【図６】本発明の第３の実施形態のコネクタ挿入口構造を説明する平面図。
【図７】本発明の第４の実施形態のコネクタ挿入口構造を示す斜視図。
【図８】図７のコネクタ挿入口構造の動作を説明する図。
【図９】本発明の第５の実施形態のコネクタ挿入口構造を説明する平面図。
【符号の説明】
【００９１】
１…コネクタ挿入口部（コネクタ挿入口構造）、１１…基面、１１ｈ…開口、１３…コネクタ受け部、１５…コネクタ差込部、１７…第１蓋体、１８…第２蓋体。
【図１】
2008210663.tif 000003
【図２】
2008210663.tif 000004
【図３】
2008210663.tif 000005
【図４】
2008210663.tif 000006
【図５】
2008210663.tif 000007
【図６】
2008210663.tif 000008
【図７】
2008210663.tif 000009
【図８】
2008210663.tif 000010
【図９】
2008210663.tif 000011